(57)【要約】【課題】  幼児の年齢に伴い変化する便座へのアプローチや、姿勢保持を、便座の取付方向を変えることで一つの便座で対応できる保持部付き便座を提供する。【解決手段】  本発明では、大便器後端部に固定する便座固定部と、前記便座固定部に可動接続された便座着座部を有し、前記便座固定部の両端から便座の略鉛直方向に突出した支持部と、支持部先端から便座着座部方向に略水平方向に突出した保持部分を有する便座に置いて、前記保持部が便座上方に位置する方向と、前記保持部が便座下方に位置する方向の、両方の取付が可能な保持部付き便座とした。【選択図】  図１
2008194151.tif 000002
【特許請求の範囲】
【請求項１】
大便器後端部に固定する便座固定部と、前記便座固定部に可動接続された便座着座部を有し、前記便座固定部の両端から便座の略鉛直方向に突出した支持部と、支持部先端から便座着座部方向に略水平方向に突出した保持部分を有する便座に置いて、前記保持部が便座上方に位置する方向と、前記保持部が便座下方に位置する方向の、両方の取付が可能な保持部付き便座。
【請求項２】
前記便座部に、保持部とは逆側の略鉛直方向に突出した支持部と、前記支持部先端から略水平方向に突出した握り部を有する請求項１の保持部付き便座。
【請求項３】
保持部とは逆側の略鉛直方向に突出した支持部が、便座中央を中心として分割されていることを特徴とする請求項２の保持部付き便座。
【発明の詳細な説明】
【技術分野】
【０００１】
本発明は、大便器用便座に係り、特に姿勢保持を安定させることに好適な保持部付き便座に関する発明である。 
【背景技術】
【０００２】
従来の保持部付き便座は、保持部が便座前方に設置されている（例えば、特許文献１参照。）。 
この構造では、低年齢の幼児が使用しているおまるのように前部保持部分を持って姿勢保持が可能である。しかしながら大便器の場合は、便器後方には給水管や洗浄レバーが配置されている為、おまるのように保持部と反対側からの便器へのアプローチができない。低年齢の幼児が便座に着座する時に、介助者が幼児を抱きかかえて便座に着座させる場合は、便座上方から着座させる為保持部が邪魔になることは無いが、年齢が上がるにつれ幼児自身で便座に着座する場合、便器前方からのアプローチは保持部が邪魔になる為、便器側方からのアプローチとなり、便器を乗り越える必要があった。この場合、便座を乗り越える際に、姿勢が不安定になるばかりか、幼児が便器に足を落として怪我をする問題があった。また、幼児が着座出来たとした場合でも、幼児の体形により足が床面に接地できないため、便器前方に設けられた保持部だけでは姿勢が安定しない問題もあった。その為、新たに前部に保持部分の無い便座に取り替えたり、足を保持できるようにステップを設ける必要があった。
【特許文献１】特開２００２−１５９４１８号公報（第５頁、第４図）
【発明の開示】
【発明が解決しようとする課題】
【０００３】
本発明は、上記問題を解決するためになされたもので、本発明の課題は、幼児の年齢に伴い変化する便座へのアプローチや、姿勢保持を、便座の取付方向を変えることで一つの便座で対応できる保持部付き便座を提供することである。
【課題を解決するための手段】
【０００４】
上記目的を達成するために請求項１記載の発明によれば、大便器後端部に固定する便座固定部と、前記便座固定部に可動接続された便座着座部を有し、前記便座固定部の両端から便座の略鉛直方向に突出した支持部と、支持部先端から便座着座部方向に略水平方向に突出した保持部分を有する便座に置いて、前記保持部が便座上方に位置する方向と、前記保持部が便座下方に位置する方向の、両方の取付が可能な保持部付き便座とした。これにより、便座上方に保持部が位置するように取り付けることで、保持部を持つことで姿勢を安定させることが可能となる。また、便座下方に保持部が位置するように取り付けることで、足置きとなり、便座に腰掛けた状態で床面に足が付かない場合でも、保持部に足を置くことで姿勢を安定して保持することが可能となる。
【０００５】
また、請求項２記載の発明のよれば、前記便座部に、保持部とは逆側の略鉛直方向に突出した支持部と、前記支持部先端から略水平方向に突出した握り部を有する請求項１の保持部付き便座とした。これにより、便座下方に保持部が位置するように取り付けた場合、握り部は便器上方に配置され、握り部方向に向いて便座に着座した場合、保持部を足置きにして握り部を掴んで姿勢を保持することで、更に安定した姿勢保持が可能となる。
【０００６】
また、請求項３記載の発明のよれば、保持部とは逆側の略鉛直方向に突出した支持部が、便座中央を中心として分割されていることを特徴とする請求項２の保持部付き便座とした。これにより、便座上方に保持部が位置するように取り付けた場合、握り部の支持部が便器後方に接続されている給水管との干渉を避けることが可能となる。
【発明の効果】
【０００７】
本発明によれば、幼児の年齢に伴い変化する便座へのアプローチや、姿勢保持を、便座の取付方向を変えることで一つの便座で対応できる保持部付き便座を提供することができる。
【発明を実施するための最良の形態】
【０００８】
本発明の実施形態は、以下に記す構成からなる。
図１は、本発明の第一の実施形態を示す保持部付き便座の斜視図を、図２及び図３は保持部付き便座の斜視分解図を、図４は保持部付き便座の断面図を示す。便器１００とタンク３００は給水管２００で接続されている。便座１０は、便器１００の便器本体１００Ａの便器上面１００Ｄに設置されており、固定金具２０のボルト部２０Ｂを便座固定部１０Ｂの穴１０Ｃと便器本体１００Ａの穴１００Ｂと、便座固定金具３０の穴３０Ａに通し、便座固定金具３０を便器固定面１００Ｃに接触させ、ナット４０をボルト部２０Ｂにねじ込むことで、固定金具２０の固定部２０Ａと便座固定金具３０で便器本体１００Ａを挟み込んだ形で固定し、固定部分はカバー１００Ｅにより隠蔽される。便座１０は、着座部１０Ａと便座固定部１０Ｂが図示しないヒンジで結合されている。便座固定部１０Ｂには、着座部１０Ａが接続されている辺とは逆の辺に沿って支持部１０Ｄが連接されており、支持部１０Ｄの先端には略水平方向に保持部１０Ｅが形成されている。図１〜４の設置状態は、主にタンク３００に背を向けて便座１０に着座する姿勢の場合を示しており、保持部１０Ｅを便座１０よりも上方に位置するようになっている。保持部１０Ｅは、着座部１０Ａに使用者が着座した際に、手で握ったり肘をおく事で姿勢を保持する役目を果たす。  
【０００９】
ここで、保持部１０Ｅの先端に荷重が負荷された場合、ボルト部２０Ｂの中心位置か保持部１０Ｅの先端までの距離Ｌを、便器上面１００Ｄと便器固定面１００Ｃの距離Ｈで割った値Ｌ／Ｈが小さいほど、モーメントの関係上便座固定部Ｂの取付強度が向上する。
【００１０】
図５は、便座１０を表裏逆にして便器１００に固定した図である。この場合、保持部１０Ｅは便座１０よりも下方に位置することになる。床面まで足が届かないような小柄な使用者が、着座部１０Ａに着座した際に、図示しない保持部１０Ｅの裏面は１０ｅに足を乗せることで、姿勢を保持する役目を果たす。
【００１１】
図６は、本発明の第二の実施形態を示す保持部付き便座の斜視図を示す。図６の設置状態は、図５と同様に、床面まで足が届かないような小柄な使用者が、着座部座１０Ａに着座した際に、図示しない保持部１０Ｅの裏面は１０ｅに足を乗せることで、姿勢を保持することを目的とした設置状態である。図６では、便座固定部１０Ｂの、保持部１０Ｅが設けられている方向とは逆方向（図６では上方向）に支持部１０Ｆが設けられており、支持部１０Ｆの上端には握り部１０Ｇが略水平方向に設けられている。図６の形態では、幼児がおまるを使用するように、使用者はタンク３００に向かって便座１０に着座する姿勢となる。保持部１０Ｅの裏面１０ｅに足を乗せて姿勢を保持するだけでなく、握り部１０Ｇを握ることにより、より安定した姿勢保持が可能となる。また、タンク３００側に背を向けた状態で便座１０に着座する姿勢に於いても、保持部１０Ｆ及び握り部１０Ｇは背もたれの役目を果たすことが可能である。
【００１２】
図７は、本発明の第三の実施形態を示す保持部付き便座の斜視図を示す。給水管２００は、便器１００の後部中央に接続されることが多く、図６の構造を、保持部１０Ｅを着座部１０Ａよりも上方に設置する形態をとった場合、支持部１０Ｆが給水管２００と干渉することになる。その為、支持部１０Ｈは、給水管２００の外径Ｄよりも大きな寸法の幅Ｗで２分割することで、給水管２００との干渉を回避することが出来る。
【図面の簡単な説明】
【００１３】
【図１】本発明の第一の実施形態を示す保持部付き便座の斜視図である。
【図２】本発明の第一の実施形態を示す保持部付き便座の斜視図である。
【図３】本発明の第一の実施形態を示す保持部付き便座の斜視図である。
【図４】本発明の第一の実施形態を示す保持部付き便座の斜視図である。
【図５】本発明の第一の実施形態を示す保持部付き便座の断面図である。
【図６】本発明の第二の実施形態を示す保持部付き便座の斜視図である。
【図７】本発明の第三の実施形態を示す保持部付き便座の斜視図である。
【符号の説明】
【００１４】
１００…便器
１００Ａ…便器本体
１００Ｂ…穴
１００Ｃ…便器固定面
１００Ｄ…便器上面
１００Ｅ…カバー
２００…給水管
２００Ｄ…外径
３００…タンク
１０…便座
１０Ａ…着座部
１０Ｂ…便座固定部
１０Ｃ…穴
１０Ｄ…支持部
１０Ｅ…保持部
１０ｅ…裏面
１０Ｆ…保持部
１０Ｇ…握り部
１０Ｈ…支持部
２０…固定金具
２０Ｂ…ボルト部
３０…便座固定金具
４０…ナット
【図１】
2008194151.tif 000003
【図２】
2008194151.tif 000004
【図３】
2008194151.tif 000005
【図４】
2008194151.tif 000006
【図５】
2008194151.tif 000007
【図６】
2008194151.tif 000008
【図７】
2008194151.tif 000009